【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】記録装置、記録方法、記録媒体、記録システム、プログラム、および記憶媒体
【手続補正２】
【補正対象書類名】明細書
【補正対象項目名】特許請求の範囲
【補正方法】変更
【補正の内容】
【特許請求の範囲】
【請求項１】  記録媒体に記録材を付与することによって記録が可能な記録装置において、
前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録装置。
【請求項２】 前記記録材はインクまたはトナーであることを特徴とする請求項１に記載の記録装置。
【請求項３】 前記位置情報の画像の記録用記録材はカーボンを含有し、前記その他の画像の記録用記録材はカーボンを含有しないことを特徴とする請求項１または２に記載の記録装置。
【請求項４】 前記位置情報の画像の記録用記録材はカーボンを含む顔料または染料インクであり、前記その他の画像の記録用記録材はカーボンを含まない顔料または染料インクであることを特徴とする請求項１に記載の記録装置。
【請求項５】 前記位置情報の画像の記録用記録材は黒色であり、前記その他の画像の記録用記録材はカラー画像の記録が可能な複数色であることを特徴とする請求項１から４のいずれかに記載の記録装置。
【請求項６】 前記その他の画像の記録用記録材の複数色は、イエロー，マゼンタ，シアンを含むことを特徴とする請求項５に記載の記録装置。
【請求項７】 前記その他の画像の記録用色材の複数色は、イエロー，マゼンタ，シアン，ブラックを含むことを特徴とする請求項５に記載の記録装置。
【請求項８】 前記位置情報の画像は、複数の点の組合せによって記録されることを特徴とする請求項１から７のいずれかに記載の記録装置。
【請求項９】 前記位置情報は、それ自体が記録される前記記録媒体上の座標位置と関連付けられる情報であることを特徴とする請求項１から８のいずれかに記載の記録装置。
【請求項１０】 前記位置情報は、それ自体が記録される前記記録媒体上の範囲を超えた仮想面上における座標位置と関連付けられる情報であることを特徴とする請求項１から９のいずれかに記載の記録装置。
【請求項１１】 前記記録材としてのインクを吐出可能なインクジェット記録ヘッドを用いて記録をすることを特徴とする請求項１から１０のいずれかに記載の記録装置。
【請求項１２】 前記インクジェット記録ヘッドは、インクの吐出エネルギーとして利用される熱エネルギーを発生する電気熱変換体を有することを特徴とする請求項１１に記載の記録装置。
【請求項１３】 記録媒体に記録材を付与することによって記録が可能な記録方法において、
前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録方法。
【請求項１４】 記録媒体に付与された第１の記録材によって、それ自体の記録位置に関連付けられる位置情報の画像が記録された記録媒体であって、
前記記録媒体は、その他の画像を記録するために第２の記録材の付与が可能であり、
前記第１の記録材は、前記第２の記録材は検出しない所定の検出手段によって検出可能な記録材であることを特徴とする記録媒体。
【請求項１５】 記録媒体に付与された第２の記録材によって画像が記録された記録媒体であって、
前記記録媒体は、それ自体の記録位置に対応付けられる位置情報の画像を記録するために第１の記録材の付与が可能であり、
前記第２の記録材は、前記第１の記録材を検出可能な所定の検出手段によって検出されない記録材であることを特徴とする記録媒体。
【請求項１６】 第１の記録材の付与によって、それ自体の記録位置に対応付けられる位置情報の画像が記録され、かつ第２の記録材の付与によってその他の画像が記録された記録媒体であって、
前記第１の記録材は所定の検出手段によって検出可能な記録材であり、前記第２の記録材は前記検出手段によって検出されない記録材であることを特徴とする記録媒体。
【請求項１７】 記録データに基づいて、記録装置が記録媒体に記録材を付与することによって記録が可能な記録システムにおいて、
前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする記録システム。
【請求項１８】 記録媒体に記録材を付与することによって記録をするためのプログラムであって、
前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録する工程をコンピュータに実行させることを特徴とするプログラム。
【請求項１９】 請求項１８に記載のプログラムが格納された、コンピュータにより読み取り可能な記憶媒体。
【手続補正３】
【補正対象書類名】明細書
【補正対象項目名】０００１
【補正方法】変更
【補正の内容】
【０００１】
【発明の属する技術分野】
本発明は、記録媒体に記録材を付与することによって、それ自体の記録位置に対応付けられる位置情報の画像と、その他の画像との内の少なくとも一方を記録可能な記録装置、記録方法、記録媒体、記録システム、プログラム、および記憶媒体に関するものである。
【手続補正４】
【補正対象書類名】明細書
【補正対象項目名】０００６
【補正方法】変更
【補正の内容】
【０００６】
本発明の目的は、ユーザーが自由に位置情報や画像を記録することができる記録装置、記録方法、記録媒体、記録システム、プログラム、および記憶媒体を提供することにある。
【手続補正５】
【補正対象書類名】明細書
【補正対象項目名】０００７
【補正方法】変更
【補正の内容】
【０００７】
【課題を解決するための手段】
本発明の記録装置は、記録媒体に記録材を付与することによって記録が可能な記録装置において、前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする。
本発明の記録方法は、記録媒体に記録材を付与することによって記録が可能な記録方法において、前記記録媒体に、それ自体の記録位置に対応付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする。
本発明の記録媒体は、記録媒体に付与された第１の記録材によって、それ自体の記録位置に関連付けられる位置情報の画像が記録された記録媒体であって、前記記録媒体は、その他の画像を記録するために第２の記録材の付与が可能であり、前記第１の記録材は、前記第２の記録材は検出しない所定の検出手段によって検出可能な記録材であることを特徴とする。
本発明の記録媒体は、記録媒体に付与された第２の記録材によって画像が記録された記録媒体であって、前記記録媒体は、それ自体の記録位置に対応付けられる位置情報の画像を記録するために第１の記録材の付与が可能であり、前記第２の記録材は、前記第１の記録材を検出可能な所定の検出手段によって検出されない記録材であることを特徴とする。
本発明の記録媒体は、第１の記録材の付与によって、それ自体の記録位置に対応付けられる位置情報の画像が記録され、かつ第２の記録材の付与によってその他の画像が記録された記録媒体であって、前記第１の記録材は所定の検出手段によって検出可能な記録材であり、前記第２の記録材は前記検出手段によって検出されない記録材であることを特徴とする。
本発明の記録システムは、記録データに基づいて、記録装置が記録媒体に記録材を付与することによって記録が可能な記録システムにおいて、前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録することを特徴とする。
本発明のプログラムは、記録媒体に記録材を付与することによって記録をするためのプログラムであって、前記記録媒体に、それ自体の記録位置に関連付けられる位置情報の画像と、その他の画像との内の少なくとも一方を記録するときに、前記位置情報の画像は所定の検出手段によって検出可能な記録材を用いて記録し、前記その他の画像は前記検出手段によって検出されない記録材を用いて記録する工程をコンピュータに実行させることを特徴とする。
本発明の記憶媒体は、上記のプログラムが格納された、コンピュータにより読み取り可能な記憶媒体である。